(57)【要約】【課題】室外機の内部構造を複雑化することなく、室外機から外部への振動伝達をより確実に防止できるようにした空気調和機の室外機防振装置を提供する。【解決手段】内部空間を有するケース部材１と、ケース部材１の内部空間に収納配置される空気調和機の室外機本体２と、ケース部材１に対して室外機本体２を吊り下げ支持する４個のコイルばね３、…、３と、ケース部材１の両側板１１ｂ、１１ｂと室外機２の両側壁１１ｂ、１１ｂにそれぞれ連結固定されて室外機本体２の主振動方向（図１のＺ方向及びＸ方向）の動きを弾性的に許容するように配設された２個の防振ゴム４、４と、から構成されている。【選択図】  図１
2009052837.tif 000002
【特許請求の範囲】
【請求項１】
内部空間を有するケース部材と、
電動機及び該電動機により作動して振動発生源となる機器を備え、前記ケース部材の前記内部空間に収納配置される空気調和機の室外機本体と、
前記ケース部材に対して前記室外機本体を吊り下げ支持するコイルばねと、
前記ケース部材と前記室外機本体に連結固定されて前記室外機本体の主振動方向の動きを弾性的に許容するように配設された防振ゴムと、
から構成されていることを特徴とする空気調和機の室外機防振装置。
【請求項２】
前記コイルばねは、前記室外機本体の殆ど全部の荷重を支持するように設置されていることを特徴とする請求項１に記載の空気調和機の室外機防振装置。
【請求項３】
前記防振ゴムは、前記室外機本体の主振動方向に沿う方向において軟らかいばねを有するように配設されていることを特徴とする請求項１又は２に記載の空気調和機の室外機防振装置。
【請求項４】
前記防振ゴムは、三次元方向において軟らかいばねを有するように設定された液体封入式防振ゴムであることを特徴とする請求項３に記載の空気調和機の室外機防振装置。
【発明の詳細な説明】
【技術分野】
【０００１】
本発明は、室内の冷暖房を行う空気調和機の室外機防振装置に係り、電動機やその電動機により作動して振動発生源となる機器を備えた室外機に対して好適に採用される空気調和機の室外機防振装置に関する。
【背景技術】
【０００２】
一般家庭等で使用される空気調和機は、室内熱交換器や圧縮機、室外熱交換器、膨張弁等の要素を含む冷媒回路を備えており、この冷媒回路は、室内に設置される室内機と室外に設置される室外機との間で冷媒が循環するようにされている。この空気調和機による室内の冷暖房は、冷媒がその冷媒回路を循環する途中で、室内機の室内熱交換器及び室外機の室外熱交換器においてそれぞれ熱交換を行うことによって実現される。
【０００３】
ところで、上記空気調和機の室外機は、通常、マウントやコンクリートブロック等を介してベランダや地上に設置されているが、この室外機には、圧縮機やファン、及びそれらを作動させる電動機やエンジン等の振動発生源となる複数の機器が搭載されていることから、振動や騒音の対策が必要となる。そこで、特許文献１には、機械室内において基礎板上に設置されるガスエンジンを支持する第一の防振器と、第一の防振器の下方で前記基礎板を支持する第二の防振器とを備え、ガスエンジンを中心として発生する振動を防振可能とした室外機ユニット及び空気調和機が開示されている。
【０００４】
また、特許文献２には、エンジンや圧縮機が固定されるエンジン支持フレームを装置設置板上で支持する第一の防振装置と、前記装置設置板を台床上で支持する第二の防振装置とを備え、装置設置板から台床へ伝達される振動エネルギを低減させるようにしたエンジンヒートポンプの室外機が開示されている。
【０００５】
また、特許文献３には、頂壁と頂壁の外端から垂下する側壁を一体に形成した樹脂製マウント本体の側壁下部に、防振ゴムを機械的に係止させて取付けてなる空調機の室外機用マウントが開示されている。この特許文献３に開示されたマウントは、マウント本体の側壁下部に防振ゴムが予め取付けられているので、室外機据付け時の作業を増加せずに騒音を防止することができ、また、防振ゴムが外れ難く、騒音防止効果が安定して発揮されるとされている。
【０００６】
ところで、特許文献１及び２に開示された室外機においては、冷媒回路を構成する機器やそれらを作動させる駆動機器及び付属機器等の多数の機器類が収納配置されているのに加えて、エンジン等の振動発生源から室外機外部への振動伝達を防止する第一及び第二の防振器（防振装置）が、室外機内部の限られたスペース内に収容された状態で多数箇所に設置されているため、内部構造が複雑になっている。また、第一及び第二の防振器（防振装置）の設置スペースも制約されることから、振動伝達を効果的に防止できる適切な箇所にそれらを配置できない場合もある。
【０００７】
一方、特許文献３に開示された室外機用マウントの場合には、マウント本体の側壁下部に予め取付けられている防振ゴムは、マウント本体の側壁の下端面と当接する部位で室外機の全荷重を支持することから、単位面積当たりの支持荷重が大きくなり剛性が高いものとなる。そのため、防振ゴムの振動伝達率が高まり、室外機が設置されているベランダや地面への振動伝達を十分に防止することができず、結果的に騒音防止も不十分となる。
【０００８】
【特許文献１】特開平１１−２６４５８８号公報
【特許文献２】特開２００６−７１２００号公報
【特許文献３】特開２００２−２２８２０２号公報
【発明の開示】
【発明が解決しようとする課題】
【０００９】
本発明は上記実状に鑑みてなされたものであり、室外機の内部構造を複雑化することなく、室外機から外部への振動伝達をより確実に防止できるようにした空気調和機の室外機防振装置を提供することを解決すべき課題とするものである。
【課題を解決するための手段】
【００１０】
上記課題を解決する本発明に係る空気調和機の室外機防振装置は、内部空間を有するケース部材と、電動機及び該電動機により作動して振動発生源となる機器を備え、前記ケース部材の前記内部空間に収納配置される空気調和機の室外機本体と、前記ケース部材に対して前記室外機本体を吊り下げ支持するコイルばねと、前記ケース部材と前記室外機本体に連結固定されて前記室外機本体の主振動方向の動きを弾性的に許容するように配設された防振ゴムと、から構成されていることを特徴としている。
【００１１】
本発明に係る空気調和機の室外機防振装置では、内部に振動発生源となる機器類を有する室外機本体がコイルばねで吊り下げ支持されると共に、その室外機本体とコイルばねとによって構成される振動系の固有周期が防振ゴムで調整されるようにしている。また、振動系の固有周期が低く設定されることにより、室外機本体の振動が防振領域となるようにされている。
【００１２】
これにより、室外機本体の内部に配設された電動機や圧縮機、ファン等の振動発生源となる機器類の作動により冷暖房の運転が開始されることによって、室外機本体自体に振動が発生すると、室外機本体の主振動方向の動きを弾性的に許容するように配設された防振ゴムとコイルばねの縦方向の弾性力とによって効果的に吸収されるため、室外機本体から外部（ケース部材）への広い周波数域の振動の伝達が確実に防止される。この場合、ばね系としてコイルばねと防振ゴムが併用されていることから、コイルばねの振動伝達率特性において通常生起し易いサージング現象の発生が回避され、振動伝達率のピークも低いレベルに下げられる。また、防振ゴムの固有周期を小さく調整することにより、振動伝達率を大幅に小さくすることが可能である。
【００１３】
また、本発明の室外機防振装置は、人が接触したり地震が発生したりすることによって共振周波数近辺の振動が室外機本体に入力した場合には、防振ゴムで共振倍率が抑えられているため、室外機本体の変位や衝撃を小さく抑えることが可能となる。さらに、本発明の室外機防振装置は、コイルばね及び防振ゴムが室外機本体の外部に設けられているため、室外機本体の内部構造の複雑化を回避することが可能となる。したがって、本発明の室外機防振装置によれば、内部構造を複雑化することなく、室外機から外部への振動伝達をより確実に防止することができる。
【００１４】
本発明において用いられるケース部材は、室外機本体が収納配置される内部空間を有するものであり、ケース部材の一面又は複数面に、室外機本体内部に設けられたファンにより排出される空気の排気窓を有するものが好適に採用される。また、ケース部材の内部空間に収納配置される室外機本体は、電動機及び該電動機により作動して振動発生源となる機器を備えたものである。即ち、この室外機本体は、電気を動力源とするモータや該モータにより作動する例えば圧縮機やファン等が装備された機器を備えたものである。この室外機本体は、振動発生源となる電動機及び機器類の配設箇所、或いはそれらの機器類に装備される回転軸の配置方向等によって、主となる振動方向が変化する。
【００１５】
また、本発明において用いられるコイルばねは、ケース部材に対して室外機本体を吊り下げ支持するものである。本発明の好適な態様として、コイルばねは、室外機本体の殆ど全部の荷重を支持するように設置されている。このようにすれば、防振ゴムによる固有周期の調整が容易になるとともに、室外機本体外部への振動伝達をより確実に防止することが可能となる。このコイルばねは、従来より公知の金属製のものを採用することができ、吊り下げ支持される室外機本体の重量やバランス等を考慮して１個或いは２個以上の適数個のものが用いられる。
【００１６】
また、本発明において用いられる防振ゴムは、ケース部材と室外機本体に連結固定されて室外機本体の主振動方向の動きを弾性的に許容するように配設される。室外機本体の主振動方向は、室外機本体内に収納配置されて振動発生源となる機器類の設置箇所や回転軸の方向等によって異なるため、それぞれの室外機本体の主振動方向に合わせて防振ゴムの設置箇所や方向が決定される。本発明の好適な態様として、防振ゴムは、室外機本体の主振動方向に沿う方向において軟らかいばねを有するように配設されている。このようにすれば、室外機本体の主振動方向への動きが容易になるので、室外機本体外部への振動伝達をより確実に防止することが可能となる。
【００１７】
例えば、防振ゴムとしてブロック状のゴム弾性体を採用した場合には、ゴム弾性体の剪断変形方向が軟らかいばねを有する方向となるので、その剪断変形方向が室外機本体の主振動方向に沿うように配設される。一方、ブロック状のゴム弾性体の圧縮変形方向は、硬いばねを有する方向となるので、その圧縮変形方向が室外機本体の主振動方向に沿わないように配設される。よって、室外機本体の主振動方向が縦方向の場合には、ゴム弾性体が室外機本体の側面に配設され、室外機本体の主振動方向が横方向の場合には、ゴム弾性体が室外機本体の上面又は下面に配設されるようにすればよい。
【００１８】
なお、室外機本体の振動が三次元方向において発生する場合には、防振ゴムとして、三次元方向において軟らかいばねを有するように設定された液体封入式防振ゴムを好適に採用することができる。この液体封入式防振ゴムは、例えば、少なくとも一部に弾性変形可能な薄肉の可撓部を有する容器状部材と、該容器状部材の内部に密閉封入された液体とを備えたものを採用することができる。内部に封入される液体としては、例えば、水やアルキレングリコール、ポリアルキレングリコール、シリコンオイルなど低粘度から高粘度の液体を採用することができるが、この中でもシリコンオイルが好適に採用される。
【発明の効果】
【００１９】
本発明の室外機防振装置は、防振機能を発揮するばね系が、ケース部材に対して室外機本体を吊り下げ支持するコイルばねと、ケース部材と室外機本体に連結固定されて室外機本体の主振動方向の動きを弾性的に許容するように配設された防振ゴムとの組み合わせにより構成されているため、室外機本体の内部構造を複雑化することなく、振動発生源から室外機本体外部への振動伝達をより確実に防止することができる。また、本発明は、既設の室外機に対しても、ケース部材、コイルばね及び防振ゴムを追加することにより、簡易に適用することができる。
【発明を実施するための最良の形態】
【００２０】
以下、本発明の実施形態を図面に基づいて説明する。
〔実施形態１〕
図１は実施形態１に係る空気調和機の室外機防振装置の正面図であり、図２はその室外機防振装置の断面図であって図１のII−II線矢視断面図である。
【００２１】
実施形態１の室外機防振装置は、図１及び図２に示すように、内部空間を有するケース部材１と、ケース部材１の内部空間に収納配置される空気調和機の室外機本体２と、ケース部材１に対して室外機本体２を吊り下げ支持する４個のコイルばね３、…、３と、ケース部材１の両側板１１ｂ、１１ｂと室外機２の両側壁１１ｂ、１１ｂにそれぞれ連結固定されて室外機本体２の主振動方向の動きを弾性的に許容するように配設された２個の防振ゴム４、４と、から構成されている。
【００２２】
ケース部材１は、天板１１ａと該天板１１ａの両端から垂下する一対の側板１１ｂ、１１ｂとを備え、金属板で門形に形成されたケース本体部１１と、一対の側板１１ｂ、１１ｂの両下端部に連結された金属板よりなる底板１２とで構成されている。このケース部材１は、前後方向（図１のＹ方向）の両面が開口しており、ケース本体部１１と底板１２とによって区画された内部空間を有する。
【００２３】
室外機本体２は、所定の大きさの方体に形成されたハウジングを有し、そのハウジング内には、いずれも図示されていないが、圧縮機や室外熱交換器、膨張弁等の冷媒回路上に設置される機器や、室外熱交換器の働きを補助する室外機ファン等の補助機器、圧縮機や室外機ファンを作動させる電動機等の振動発生源となる多数の機器類が収納されている。この室外機本体２は、ケース部材１の内部空間内に収納配置されており、図示されない室内機と冷媒回路を介して接続されている。なお、この室外機本体２の場合、振動発生源となる機器類の作動時において、室外機本体２に総合的に発生する振動の主振動方向は、上下方向（図１のＺ方向）と前後方向（図１のＹ方向）となっている。
【００２４】
コイルばね３、…、３は、金属製のものが用いられている。各コイルばね３、…、３は、その上端がケース部材１の天板１１ａに係止されるとともに、その下端が室外機本体２上面の４箇所に固着されたブラケット２１、…、２１に係止されている。これにより、室外機本体２の全荷重が４個のコイルばね３、…、３によって支持された状態で、ケース部材１に対して室外機本体２が吊り下げ支持されている。なお、このコイルばね３、…、３と室外機本体２とによって構成される振動系の固有周期は、室外機本体２の重量（通常５〜７０ｋｇ程度）が重いため低い値に設定されている。
【００２５】
各防振ゴム４、４は、円柱状に形成されたゴム弾性体４１と、ゴム弾性体４１の軸方向両端面に固着された円形板状の基板４２、４２とからなる。各防振ゴム４、４は、ゴム弾性体４１の軸方向が左右方向（図１のＸ方向）を向くようにして、一方の基板４２がケース部材１の側板１１ｂ内面の下方部に連結固定されるとともに、他方の基板４２が室外機本体２の側面の下方部に連結固定されており、室外機本体２のＸ方向両側に１個ずつ配設されている。
【００２６】
これにより、各防振ゴム４、４は、室外機本体２の主振動方向（図１のＺ方向及びＹ方向）に沿う方向において剪断変形による軟らかいばねを有するように配設されており、室外機本体２の主振動方向の動きを弾性的に許容するようにされている。各防振ゴム４、４がこのように配設されることによって、室外機本体２の振動が防振領域となるようにされている。また、室外機本体２の左右方向（図１のＸ方向）の動きは、各防振ゴム４、４の圧縮変形による硬いばねで弾性的に規制されるようにされている。
【００２７】
以上のように構成された本実施形態の室外機防振装置は、集合住宅のベランダや地上に直接、或いはマウントやコンクリートブロック等を介して、ケース部材１が固定されることにより設置される。そして、室外機本体２の内部に配設された電動機や圧縮機、ファン等の振動発生源となる機器類の作動により冷暖房の運転が開始されることによって、室外機本体２自体が振動すると、その振動は、室外機本体２の主振動方向の動きを弾性的に許容する防振ゴム４、４とコイルばね３、…、３の縦方向の弾性力とによって効果的に吸収されるため、室外機本体２から外部（ケース部材１）へ伝達されない。
【００２８】
また、実施形態１の室外機防振装置は、人や物が室外機本体２に接触したり地震が発生したりすることによって共振周波数近辺の振動が室外機本体２に入力した場合には、防振ゴム４、４で共振倍率が抑えられているため、室外機本体２の変位（特に図１のＸ方向）や衝撃が小さく抑えられる。なお、実施形態１の室外機防振装置は、コイルばね３、…、３及び防振ゴム４、４が室外機本体２の外部に設けられているため、内部構造の複雑化を回避することが可能となる。
【００２９】
以上のように、実施形態１の室外機防振装置は、防振機能を発揮するばね系が、ケース部材１に対して室外機本体２を吊り下げ支持するコイルばね３、…、３と、ケース部材１と室外機本体２に連結固定されて室外機本体２の主振動方向の動きを弾性的に許容するように配設された防振ゴム４、４との組み合わせにより構成されているため、室外機本体２の内部構造を複雑化することなく、室外機本体２から外部（ケース部材１）への振動伝達をより確実に防止することができる。
【００３０】
また、実施形態１におけるコイルばね３、…、３は、室外機本体２の殆ど全部の荷重を支持するように設置されているため、防振ゴム４、４による固有周期の調整が容易になるとともに、室外機本体２から外部への振動伝達をより確実に防止することが可能となる。さらに、防振ゴム４、４は、室外機本体２の主振動方向に沿う方向において軟らかいばねを有するように配設されているため、室外機本体２の主振動方向への動きが容易になるので、室外機本体２外部への振動伝達をより確実に防止することが可能となる。
【００３１】
〔変形例１〕
図３は変形例１に係る空気調和機の室外機防振装置の正面図であり、図４はその室外機防振装置の断面図であって図３のIV−IV線矢視断面側面図である。
【００３２】
変形例１の室外機防振装置は、図３及び図４に示すように、主振動方向が図３のＺ方向及びＸ方向となる室外機本体２に対応して防振ゴム４ａ、４ａが配設されている点で、実施形態１のものと異なり、用いられている防振ゴム４ａ、４ａも実施形態１のものと異なる。即ち、変形例１の各防振ゴム４ａ、４ａは、円柱状に形成されたゴム弾性体４１ａと、ゴム弾性体４１ａの軸方向両端面に固着された断面Ｌ字形状のＬ形基板４２ａ、４２ａとからなる。
【００３３】
各防振ゴム４ａ、４ａは、ゴム弾性体４１ａの軸方向が前後方向（図３のＹ方向）を向くようにして、一方のＬ形基板４２ａがケース部材１の側板１１ｂ内面の下方部にねじ止めにより連結固定されるとともに、他方のＬ形基板４２ａが室外機本体２の側面の下方部にねじ止めにより連結固定されており、室外機本体２の左右方向（図３のＸ方向）両側に１個ずつ配設されている。
【００３４】
これにより、各防振ゴム４ａ、４ａは、室外機本体２の主振動方向（図３のＺ方向及びＸ方向）に沿う方向において剪断変形による軟らかいばねを有するように配設されており、室外機本体２の主振動方向の動きを弾性的に許容するようにされている。各防振ゴム４ａ、４ａがこのように配設されることによって、室外機本体２の振動が防振領域となるようにされている。また、室外機本体２の前後方向（図３のＹ方向）の動きは、各防振ゴム４ａ、４ａの圧縮変形による硬いばねで弾性的に規制されるようにされている。
【００３５】
以上のように構成された変形例１の室外機防振装置は、室外機本体２の主振動方向となる図３のＺ方向とＸ方向において、室外機本体２から外部（ケース部材１）への振動伝達をより確実に防止することができ、その他にも実施形態１のものと同様の作用及び効果を奏する。
【００３６】
〔実施形態２〕
図５は実施形態２に係る空気調和機の室外機防振装置の正面図であり、図６はその室外機防振装置の断面図であって図５のVI−VI線矢視断面図である。
【００３７】
実施形態１の室外機防振装置は、図５及び図６に示すように、主振動方向が図５のＸ方向及びＹ方向となる室外機本体２に対応して防振ゴム４、４が配設されている点で、実施形態１のものと異なる。また、用いられている防振ゴム４、４は実施形態１と同じものであるが、防振ゴム４、４の配設箇所が実施形態１と異なる。
【００３８】
即ち、実施形態２の防振ゴム４、４は、ゴム弾性体４１の軸方向が上下方向（図５のＺ方向）を向くようにして、一方の基板４２がケース部材１の底板１２上面の所定箇所に連結固定されるとともに、他方の基板４２が室外機本体２底面の所定箇所に連結固定されており、室外機本体２の底部（下端）側に互いに距離を隔てて２個配設されている。
【００３９】
これにより、各防振ゴム４、４は、室外機本体２の主振動方向（図５のＸ方向とＹ方向）に沿う方向において剪断変形による軟らかいばねを有するように配設されており、室外機本体２の主振動方向の動きを弾性的に許容するようにされている。各防振ゴム４、４がこのように配設されることによって、室外機本体２の振動が防振領域となるようにされている。また、室外機本体２の上下方向（図５のＺ方向）の動きは、各防振ゴム４、４の圧縮変形による硬いばねで弾性的に規制されるようにされている。
【００４０】
以上のように構成された実施形態２の室外機防振装置は、室外機本体２の主振動方向となる図５のＸ方向及びＹ方向において、室外機本体２から外部（ケース部材１）への振動伝達をより確実に防止することができ、その他にも実施形態１のものと同様の作用及び効果を奏する。
【００４１】
〔変形例２〕
図７は変形例２に係る空気調和機の室外機防振装置の正面図であり、図８はその室外機防振装置の断面図であって図７のVIII−VIII線矢視断面側面図である。
【００４２】
変形例２の室外機防振装置は、図７及び図８に示すように、主振動方向が図７のＸ方向及びＹ方向となる室外機本体２に対応して防振ゴム４、４が配設されたものである点で実施形態２と同じであるが、防振ゴム４、４の配設箇所が実施形態２のものと異なる。即ち、変形例２の防振ゴム４、４は、ゴム弾性体４１の軸方向が上下方向（図７のＺ方向）を向くようにして、一方の基板４２がケース部材１の天板１１ａ下面の所定箇所に連結固定されるとともに、他方の基板４２が室外機本体２天井面の所定箇所に固着されたブラケット２２に連結固定されており、室外機本体２の天井部（上端）側に互いに距離を隔てて２個の防振ゴム４、４配設されている。
【００４３】
これにより、各防振ゴム４、４は、実施形態２の場合と同様に、室外機本体２の主振動方向（図７のＸ方向及びＹ方向）に沿う方向において剪断変形による軟らかいばねを有するように配設されており、室外機本体２の主振動方向の動きを弾性的に許容するようにされている。また、室外機本体２の上下方向（図７のＺ方向）の動きは、各防振ゴム４、４の圧縮変形による硬いばねで弾性的に規制されるようにされている。
【００４４】
以上のように構成された変形例２の室外機防振装置は、室外機本体２の主振動方向となる図７のＸ方向及びＹ方向において、室外機本体２から外部（ケース部材１）への振動伝達をより確実に防止することができ、実施形態２のものと同様の作用及び効果を奏する。
【００４５】
〔実施形態３〕
図９は実施形態３に係る空気調和機の室外機防振装置の正面図であり、図１０はその室外機防振装置の断面図であって図９のＸ−Ｘ線矢視断面図であり、図１１はその室外機防振装置において用いられた液体封入式防振ゴムの取付け状態を示す断面図である。
【００４６】
実施形態３の室外機防振装置は、図９〜図１１に示すように、主振動方向が図９のＸ方向とＹ方向とＺ方向の三次元方向となる室外機本体２に対応するものであって、防振ゴムとして三次元方向において軟らかいばねを有するように設定された液体封入式防振ゴム５、５が用いられている点で実施形態１のものと異なる。
【００４７】
即ち、各液体封入式防振ゴム５、５は、図１１に示すように、弾性変形可能な薄肉のゴムにより有底円筒状に形成された容器部材５１と、容器部材５１の周壁部の開口側端部に外嵌保持された円筒状のホルダ部５２と、ホルダ部５２の外周に嵌合されて容器部材５１の開口を覆蓋する蓋部材５３と、容器部材５１の内部に封入された液体（本実施形態ではシリコンオイル）５４とを備えている。
【００４８】
容器部材５１の底部は、その中央部が小径となって外方へ少し突出するように形成されており、その突出した部分の内面中央部には、内側へ向かって突出する円柱状の攪拌部５５が設けられている。これにより、ホルダ部５２に嵌合保持された容器部材５１の周壁部と底部に設けられた攪拌部５５との間の部位には、容易に弾性変形可能な可撓部５１ａが形成されている。また、攪拌部５５には、連結ボルト５６の頭部が外側から埋め込まれた状態で嵌合保持されている。
【００４９】
各液体封入式防振ゴム５、５は、蓋部材５３がケース部材１の側板１１ｂ内面の下方部に固着されるとともに、連結ボルト５６先端のねじ部が室外機本体２のハウジング側壁２０の下方部において、一対の平ワッシャ５７、５７や一対のスプリングワッシャ５８、５８及び一対のナット５９、５９により、ハウジング２０の側壁の内外両面から緊締された状態で連結固定されている。このようにして、室外機本体２の左右方向（図９のＸ方向）両側に１個ずつ液体封入式防振ゴム５、５が配設されており、これにより、各液体封入式防振ゴム５、５は、図９のＸ方向とＹ方向とＺ方向の三次元方向において、液体５４の流動作用に基づく軟らかいばねを有するように配設されている。
【００５０】
以上のように構成された実施形態３の室外機防振装置は、三次元方向において軟らかいばねを有するように設定された液体封入式防振ゴム５、５が用いられているため、室外機本体２の主振動方向となる図９のＸ方向とＹ方向とＺ方向の三次元方向において、室外機本体２から外部（ケース部材１）への振動伝達をより確実に防止することができるなど、実施形態１のものと同様の作用及び効果を奏する。
【図面の簡単な説明】
【００５１】
【図１】本発明の実施形態１に係る空気調和機の室外機防振装置の正面図である。
【図２】本発明の実施形態１に係る空気調和機の室外機防振装置の断面図であって図１のII−II線矢視断面図である。
【図３】本発明の変形例１に係る空気調和機の室外機防振装置の正面図である。
【図４】本発明の変形例１に係る空気調和機の室外機防振装置の断面図であって図３のIV−IV線矢視断面図である。
【図５】本発明の実施形態２に係る空気調和機の室外機防振装置の正面図である。
【図６】本発明の実施形態２に係る空気調和機の室外機防振装置の断面図であって図５のVI−VI線矢視断面図である。
【図７】本発明の変形例２に係る空気調和機の室外機防振装置の正面図である。
【図８】本発明の変形例２に係る空気調和機の室外機防振装置の断面図であって図７のVIII−VIII線矢視断面図である。
【図９】本発明の実施形態３に係る空気調和機の室外機防振装置の正面図である。
【図１０】本発明の実施形態３に係る空気調和機の室外機防振装置の断面図であって図９のＸ−Ｘ線矢視断面図である。
【図１１】本発明の実施形態３に係る空気調和機の室外機防振装置において用いられた液体封入式防振ゴムの取付け状態を示す断面図である。
【符号の説明】
【００５２】
１…ケース部材    １１…ケース本体部    １１ａ…天板    １１ｂ…側板    １２…底板    ２…室外機本体    ２０…ハウジング    ２１、２２…ブラケット    ３…コイルばね    ４、４ａ…防振ゴム    ４１、４１ａ…ゴム弾性体    ４２…基板    ４２ａ…Ｌ形基板    ５…液体封入式防振ゴム    ５１…容器部材    ５１ａ…可撓部    ５２…ホルダ部    ５３…蓋部材    ５４…液体    ５５…攪拌部    ５６…連結ボルト    ５７…平ワッシャ    ５８…スプリングワッシャ    ５９…ナット
【図１】
2009052837.tif 000003
【図２】
2009052837.tif 000004
【図３】
2009052837.tif 000005
【図４】
2009052837.tif 000006
【図５】
2009052837.tif 000007
【図６】
2009052837.tif 000008
【図７】
2009052837.tif 000009
【図８】
2009052837.tif 000010
【図９】
2009052837.tif 000011
【図１０】
2009052837.tif 000012
【図１１】
2009052837.tif 000013